(57)【要約】  オーディオ再生装置（１００）及び方法は、ユーザのリスニングエクスペリエンスを高めるべく、再生中の音楽その他のオーディオファイルに関連する画像を求めてウェブ検索を開始し、検索エンジン（６０）により返信された選択されたウェブページから画像をダウンロードし、その選択されたウェブページから得られる１つ以上の画像をディスプレイ（１１０）上に出力する。
2011528820.tif 000002
【特許請求の範囲】
【請求項１】
ネットワーク接続された装置（１００）のディスプレイ（１１０）上にオーディオファイルに関連する画像を表示するための方法であって、
オーディオファイルを再生するステップと、
前記オーディオファイルに関連するテキスト情報を特定するステップと、
パブリックのウェブ検索エンジン（６０）にアクセスするステップと、
前記テキスト情報に基づく検索基準を前記ウェブ検索エンジン（６０）へ提供し、関連する画像を含むパブリックのウェブページの検索を開始するステップと、
関連する画像を含むウェブページのリストを前記ウェブ検索エンジン（６０）から受信するステップと、
前記オーディオファイルが再生されている間、前記ウェブページから得られる１つ以上の関連する画像を、前記ネットワーク接続された装置（１００）の前記ディスプレイ（１１０）上に表示するステップと、
を有することを特徴とする方法。
【請求項２】
前記オーディオファイルに関連するテキスト情報を特定するステップは、前記オーディオファイルからオーディオサンプルを取り込むステップと、該取り込んだオーディオサンプルに基づいて前記オーディオファイルに関連するテキスト情報を特定するステップとを含むことを特徴とする請求項１に記載の方法。
【請求項３】
前記オーディオファイルに関連するテキスト情報を特定するステップは、前記オーディオファイルと共に符号化されたテキスト情報を抽出するステップを含むことを特徴とする請求項１に記載の方法。
【請求項４】
前記テキスト情報は、アーティスト、曲のタイトル、作品コレクションのタイトル、のうちの少なくともいずれか１つを含むことを特徴とする請求項１に記載の方法。
【請求項５】
メモリ（１０４）に格納された１つ以上のフィルタリストに基づいて、前記ウェブ検索エンジン（６０）により返信された前記ウェブページのリストをフィルタリングするステップと、
前記フィルタリングに基づいて、表示する画像を選択するステップと、
を更に有することを特徴とする請求項１に記載の方法。
【請求項６】
前記ウェブ検索エンジン（６０）により返信された前記ウェブページのリストをフィルタリングするステップは、許可リスト、ブロックリスト、お好みリスト、のうちの少なくともいずれか１つに基づいて、前記ウェブページのリストをフィルタリングするステップを含むことを特徴とする請求項５に記載の方法。
【請求項７】
前記フィルタリングの後に残っている１つ以上のウェブページをダウンロードするステップと、
該ダウンロードされたウェブページから画像を抽出するステップと、
を更に有することを特徴とする請求項５に記載の方法。
【請求項８】
前記ウェブ検索エンジン（６０）により返信された前記ウェブページのリストをランク付けするステップと、
前記ランク付けに基づいて、表示する画像を選択するステップと、
を更に有することを特徴とする請求項１に記載の方法。
【請求項９】
オーディオ再生装置（１００）であって、
オーディオファイルを再生するためのメディアプレーヤ（１２０）と、
ディスプレイ（１１０）と、
前記メディアプレーヤ（１２０）及びスピーカ（１１６）に接続された制御プロセッサ（１０２）と、
を有し、
前記制御プロセッサは、
再生中のオーディオファイルに関連するテキスト情報を特定し、
パブリックのウェブ検索エンジン（６０）に接続し、
前記テキスト情報に基づく検索基準を前記ウェブ検索エンジン（６０）へ提供し、該ウェブ検索エンジン（６０）による、関連する画像を含むパブリックのウェブページの検索を開始し、
関連する画像を含むウェブページのリストを前記ウェブ検索エンジン（６０）から受信し、
前記オーディオファイルが再生されている間、前記ウェブ検索エンジン（６０）により返信された前記ウェブページから得られる１つ以上の関連する画像を、前記オーディオ再生装置（１００）のディスプレイ（１１０）へ出力する
ことを特徴とするオーディオ再生装置（１００）。
【請求項１０】
前記制御プロセッサ（１０２）は、前記オーディオファイルからオーディオサンプルを取り込み、該取り込んだオーディオサンプルに基づいて前記オーディオファイルに関連するテキスト情報を特定することにより、前記オーディオファイルに関連するテキスト情報を特定することを特徴とする請求項９に記載のオーディオ再生装置（１００）。
【請求項１１】
前記制御プロセッサ（１０２）は、前記オーディオファイルと共に符号化されたテキスト情報を抽出することにより、前記オーディオファイルに関連するテキスト情報を特定することを特徴とする請求項９に記載のオーディオ再生装置（１００）。
【請求項１２】
前記テキスト情報は、アーティスト、曲のタイトル、作品コレクションのタイトル、のうちの少なくともいずれか１つを含むことを特徴とする請求項９に記載のオーディオ再生装置（１００）。
【請求項１３】
前記制御プロセッサ（１０２）は更に、メモリ（１０４）に格納された１つ以上のフィルタリストに基づいて、前記ウェブ検索エンジン（６０）により返信された前記ウェブページのリストをフィルタリングし、該フィルタリングに基づいて、表示する画像を選択することを特徴とする請求項９に記載のオーディオ再生装置（１００）。
【請求項１４】
前記制御プロセッサ（１０２）は、許可リスト、ブロックリスト、お好みリスト、のうちの少なくともいずれか１つに基づいて、前記ウェブ検索エンジン（６０）により返信された前記ウェブページのリストをフィルタリングすることを特徴とする請求項１３に記載のオーディオ再生装置（１００）。
【請求項１５】
前記制御プロセッサ（１０２）は、前記フィルタリングの後に残っている１つ以上のウェブページをダウンロードし、該ダウンロードされたウェブページから画像を抽出することを特徴とする請求項１３に記載のオーディオ再生装置（１００）。
【請求項１６】
前記制御プロセッサ（１０２）は、前記ウェブ検索エンジン（６０）により返信された前記ウェブページリストをランク付けし、前記ランク付けに基づいて、表示する画像を選択することを特徴とする請求項９に記載のオーディオ再生装置（１００）。
【発明の詳細な説明】
【技術分野】
【０００１】
本発明は、オーディオ再生機能を拡張する方法及び装置に関し、より詳細には、画像を選択し、その画像をオーディオ再生装置のディスプレイに表示して、オーディオ再生の機能を拡張する方法及び装置に関する。
【０００２】
この出願は、２００８年７月１８日付の米国仮特許出願第６１／０８１８２１号、並びに、２００８年９月１２日付の米国特許出願第１２，２０９，３００号の利益を主張するものである。この言及により、これらの出願は本明細書の構成の一部とする。
【背景技術】
【０００３】
デジタル電子技術の進歩によって携帯用オーディオ装置は急速に成長している。特に、オーディオＣＤプレーヤ、デジタルオーディオプレーヤ、ＦＭ／ＡＭラジオ受信機、テレビ及びＤＶＤプレーヤのような携帯用オーディオ装置は、ユーザが簡単に持ち運べるほど小型化された装置のようなサイズ及び重量のものになり消費者の間に普及している。また、携帯電話、パーソナル・デジタル・アシスタント（ＰＤＡ）及びその他の無線装置にオーディオ再生機能が組み込まれることがより一般的になっており、消費者は自分の携帯電話その他の無線装置を携帯用オーディオプレーヤとして利用できるようになっている。
【発明の概要】
【発明が解決しようとする課題】
【０００４】
多くの携帯用オーディオプレーヤには、画像及びビデオのようなビジュアルコンテンツの表示が可能なディスプレイが含まれている。このディスプレイは、アルバムアート及びコンサートビデオのような再生中のオーディオファイルに関連するビジュアルコンテンツを表示するために使用することができる。一般に、ユーザは、ユーザのオーディオファイルに関係する（画像やビデオのような）ビジュアルコンテンツをダウンロードし、ビジュアルコンテンツをオーディオファイルとリンクし、そのビジュアルコンテンツをメモリに格納する。オーディオファイルが再生されるときは、関連するビジュアルコンテンツがメモリから取り出され、ディスプレイへ出力することができる。しかしながら、そのようなビジュアルコンテンツは、ユーザがダウンロードしてユーザ装置のメモリに格納されたもの、あるいは、オーディオコンテンツプロバイダにより提供されたものに限定されている。
【課題を解決するための手段】
【０００５】
本発明は、オーディオファイルの選択や再生に応じて、ウェブサーバからビジュアルコンテンツをダウンロードしてこれを表示する方法及び装置を提供する。ユーザがオーディオファイルを選択したり、再生したりすると、アーティスト名、曲のタイトル、アルバムタイトル、又は上記オーディオファイルに関係する別のテキスト情報が利用されて、関連する画像を含むパブリックにアクセス可能なウェブページの検索が行われるようになる。これらの関連する画像は、例えば、演奏するアーティストのアルバムアート、画像、コンサートビデオなどを含んでもよい。本発明の実施形態では、ユーザ装置は、例えば、アーティスト名を用いてクエリを作成して、これらのクエリをウェブ検索エンジンへ送信し、次いで、パブリックにアクセス可能なウェブページ内の利用可能な関連する画像を求めてウェブ検索を開始する。検索結果がウェブ検索エンジンにより返信されると、ユーザ装置は、検索結果をフィルタリングし、選択されたウェブページをダウンロードし、そのウェブページから画像を抽出し、その画像をディスプレイへ出力する。この画像はフルスクリーンで表示してもよいし、背景に表示される壁紙に変換されてもよい。
【０００６】
例示の実施形態には、ネットワーク接続された装置のディスプレイ上にオーディオファイルに関連する画像を表示するための方法が含まれる。本方法は、オーディオファイルを再生するステップと、前記オーディオファイルに関連するテキスト情報を特定するステップと、パブリックのウェブ検索エンジンにアクセスするステップと、前記テキスト情報に基づいて検索基準を前記ウェブ検索エンジンへ提供し、関連する画像を含むパブリックのウェブページの検索を開始するステップと、関連する画像を含むウェブページのリストを前記ウェブ検索エンジンから受信するステップと、前記オーディオファイルが再生されている間、前記ウェブページから得られる１つ以上の関連する画像を、前記ネットワーク接続された装置の前記ディスプレイ上に表示するステップとを有する。
【０００７】
方法の一例によれば、前記オーディオファイルに関連するテキスト情報を特定するステップは、前記オーディオファイルからオーディオサンプルを取り込むステップと、該取り込まれたオーディオサンプルに基づいて、前記オーディオファイルに関連するテキスト情報を特定するステップとを含む。
【０００８】
方法の一例によれば、上記オーディオファイルに関連するテキスト情報を特定するステップは、前記オーディオファイルと共に符号化されたテキスト情報を抽出するステップを含む。
【０００９】
方法の一例によれば、前記テキスト情報はアーティスト、曲のタイトル、作品コレクションのタイトルのうちの少なくともいずれか１つを含む。
【００１０】
上記方法例は、メモリに格納された１つ以上のフィルタリストに基づいて、前記ウェブ検索エンジンにより返信された前記ウェブページのリストをフィルタリングするステップと、前記フィルタリングに基づいて、表示する画像を選択するステップとを更に有することができる。
【００１１】
方法の一例によれば、前記ウェブ検索エンジンにより返信された前記ウェブページのリストをフィルタリングするステップは、許可リスト、ブロックリストと、お好みリストのうちの少なくともいずれか１つに基づいて、前記ウェブページのリストをフィルタリングするステップを含む。
【００１２】
上記方法例は、前記フィルタリングの後に残っている１つ以上のウェブページをダウンロードするステップと、該ダウンロードされたウェブページから画像を抽出するステップとを更に有してもよい。
【００１３】
上記方法例は、前記ウェブ検索エンジンにより返信された前記ウェブページのリストをランク付けするステップと、前記ランク付けに基づいて、表示する画像を選択するステップとを更に有してもよい。
【００１４】
例示の実施形態は、オーディオ再生装置に係り、オーディオファイルを再生するためのメディアプレーヤと、ディスプレイと、前記メディアプレーヤ及びスピーカに接続された制御プロセッサとを有し、前記制御プロセッサは、再生中のオーディオファイルに関連するテキスト情報を特定し、パブリックのウェブ検索エンジンに接続し、前記テキスト情報に基づく検索基準を前記ウェブ検索エンジンへ提供し、該ウェブ検索エンジンによる、関連する画像を含むパブリックのウェブページの検索を開始し、関連する画像を含むウェブページのリストを前記ウェブ検索エンジンから受信し、前記オーディオファイルが再生されている間、前記ウェブ検索エンジンにより返信された前記ウェブページから得られる１つ以上の関連する画像を、前記オーディオ再生装置のディスプレイへ出力する。
【００１５】
１つの例示のオーディオ再生装置では、前記制御プロセッサは、前記オーディオファイルからオーディオサンプルを取り込み、該取り込んだオーディオサンプルに基づいて前記オーディオファイルに関連するテキスト情報を特定することにより、前記オーディオファイルに関連するテキスト情報を特定するように構成される。
【００１６】
１つの例示のオーディオ再生装置では、前記制御プロセッサは、前記オーディオファイルと共に符号化されたテキスト情報を抽出することにより、前記オーディオファイルに関連するテキスト情報を特定するように構成される。
【００１７】
１つの例示のオーディオ再生装置では、前記テキスト情報は、アーティスト、曲のタイトル、作品コレクションのタイトルのうちの少なくともいずれか１つを含む。
【００１８】
１つの例示のオーディオ再生装置では、前記制御プロセッサは更に、メモリに格納された１つ以上のフィルタリストに基づいて、前記ウェブ検索エンジンにより返信された前記ウェブページのリストをフィルタリングし、該フィルタリングに基づいて、表示する画像を選択するように構成される。
【００１９】
１つの例示のオーディオ再生装置では、前記制御プロセッサは、許可リスト、ブロックリスト、お好みリスト、のうちの少なくともいずれか１つに基づいて、前記ウェブ検索エンジンにより返信された前記ウェブページのリストをフィルタリングするように構成される。
【００２０】
１つの例示のオーディオ再生装置では、前記制御プロセッサは、前記フィルタリングの後に残っている１つ以上のウェブページをダウンロードし、該ダウンロードされたウェブページから画像を抽出するように構成される。
【００２１】
１つの例示のオーディオ再生装置では、前記制御プロセッサは、前記ウェブ検索エンジンにより返信された前記ウェブページリストをランク付けし、前記ランク付けに基づいて、表示する画像を選択するように構成される。
【図面の簡単な説明】
【００２２】
【図１】本発明の一実施形態に係る例示の通信ネットワークを示す図。
【図２】インターネット検索の際に取得される関連する画像の表示によってオーディオ再生の機能を拡張する方法例を示す図。
【図３】インターネット検索の際に取得される関連する画像の表示によってオーディオ再生の機能を拡張するための例示のユーザ装置を示す図。
【図４】インターネット検索の際に取得される関連する画像の表示によってオーディオ再生の機能を拡張するための、ユーザ装置によって実施される方法の例を示す図。
【発明を実施するための形態】
【００２３】
図１は、本発明を実施可能な例示の通信ネットワーク１０を示す。通信ネットワーク１０は、ユーザ装置１００と通信するための１以上の基地局２２を有する無線ネットワーク２０を含む。無線ネットワーク２０は、例えば、移動通信用のグローバルシステム（ＧＳＭ）ネットワーク、広帯域符号分割多元接続（ＷＣＤＭＡ）ネットワークなどの従来のセルラ通信ネットワーク、あるいは、その他の現在公知の又はこれから開発されるであろうセルラ通信ネットワークを含みうる。ユーザ装置１００は、例えば、携帯電話、パーソナル・デジタル・アシスタント（ＰＤＡ）、ラップトップコンピュータ、又はその他の無線通信装置を含みうる。以下さらに詳細に説明するように、ユーザ装置１００には、ユーザに対してオーディオファイルを再生するためのオーディオプレーヤと、ユーザに対してビジュアルコンテンツを表示するためのディスプレイとが組み込まれている。
【００２４】
無線ネットワーク２０はパケットデータネットワーク（ＰＤＮ）３０と接続される。ＰＤＮ３０はインターネットのようなパブリック広域ネットワーク（ＷＡＮ）を含むことが望ましい。もっとも、本発明はプライベートネットワーク又はローカルエリアネットワーク（ＬＡＮ）においても実現され得ることは、当業者には理解されよう。
【００２５】
ＰＤＮ３０には複数のウェブサーバ５０が接続される。ウェブサーバ５０は、リモートコンピュータからアクセス可能なホストウェブサイト用のＰＤＮ３０を介してアクセス可能なコンピュータを備える。ウェブサーバ５０によりホストされるウェブサイトには一般に、ウェブページの集合、画像、ビデオ及びその他のデジタルコンテンツが含まれる。リモートユーザは、ウェブサーバ５０によりホストされるウェブサイトのリソースにアクセスするために、ウェブブラウザ又はユーザ装置１００にインストールされている同様のプログラムを利用することができる。ユーザ装置１００内のウェブブラウザ及びウェブサーバ５０は、通常、ウェブサーバ５０とユーザ装置１００との間で情報を転送するためにハイパーテキスト転送プロトコル（ＨＴＴＰ）のようなプロトコルを用いる。
【００２６】
ウェブ検索エンジン６０もＰＤＮ３０に接続される。ウェブ検索エンジン６０は、ＰＤＮ３０に接続されたウェブサーバ５０に関する情報を検索するために設計された検索エンジンである。ウェブ検索エンジンは、一般に、他の任意のウェブページと同様にウェブブラウザによりアクセス可能なウェブインタフェースを提供する。ウェブ検索エンジン６０は、ウェブインタフェースを介して、ユーザが入力したクエリを受け付け、ＨＴＭＬページの形式で表されるクエリを満たす検索結果を返信する。公知の検索エンジンの例としては、グーグル検索エンジン、ＭＳＮ検索エンジン、ヤフー検索エンジン、アルタビスタ検索エンジンなどがある。
【００２７】
いくつかの実施形態においては、音楽認識サーバ７０もＰＤＮ３０に接続される。音楽認識サーバ７０は、オーディオファイルから取り出されたサンプルをデータベースと比較することによってオーディオファイルを識別することが可能である。したがって、オーディオファイルのサンプルが提供されると、音楽認識サーバ７０は、アーティスト、曲のタイトル、アルバムタイトルなどの、オーディオファイルに関する情報を返信することが可能である。
【００２８】
本発明の実施形態によれば、ユーザ装置１００は、ユーザによるオーディオファイルの選択又は再生に応じて、ウェブサーバ５０からビジュアルコンテンツをダウンロードすると共に、このコンテンツを表示する。ユーザがオーディオファイルの選択又は再生を行うと、そのオーディオファイルに関係するアーティスト名、曲のタイトル、アルバムのタイトル、あるいはその他のテキスト情報を利用して、関連する画像を含む、パブリックにアクセス可能なウェブページを求めてウェブ検索エンジン６０を介した検索が開始される。関連する画像には、例えば、上記演奏するアーティストのアルバムアート、画像、コンサートビデオなどが含まれうる。検索結果がウェブ検索エンジン６０により返信されると、ユーザ装置は、その検索結果をフィルタリングし、選択したウェブページを１以上のウェブサーバ５０からダウンロードし、そのウェブページから画像を抽出して、そのの画像をディスプレイへ出力する。これらの画像はフルスクリーンで表示可能であるし、あるいは、背景に表示される壁紙に変換することもできる。
【００２９】
一例として、ユーザは再生する曲を選択することができる。曲のタイトルが既知、あるいはアーティストが既知であれば、ユーザ装置１００は、ウェブ検索エンジン６０と接続し、ウェブサーバから得られるアーティストの画像又はビデオを求めて検索を開始してもよい。さらに、曲がライブ演奏のレコーディングであれば、ユーザ装置は、コンサートの日付及び場所の少なくともいずれかに基づいて曲が演奏された特定のコンサートの画像又はビデオを求めて検索を開始することもできる。また、ユーザ装置は、コンサートツアーが既知であれば、そのコンサートツアーに関係する画像及びビデオを求めて検索を開始することも可能である。
【００３０】
図２は、再生中のオーディオファイルに関係する画像を動的にダウンロードし、その画像を表示するための、本発明の１つの実施例に係る方法例を示す図である。ユーザ装置１００について以下さらに詳細に説明する。この装置はメディアプレーヤ１２０、制御プロセッサ１０２、及びディスプレイ１１０を備える。メディアプレーヤ１２０は、メモリに格納されているオーディオファイルと、リモートサーバから得られるストリーミングオーディオとの少なくともいずれかを再生することができる。ユーザが再生又はストリーミングを行うオーディオファイルを選択すると、メディアプレーヤ１２０は制御プロセッサ１０２が受信するトリガを生成する。このトリガに応じて、制御プロセッサ１０２はウェブブラウザ１０５を起動する。ウェブブラウザ１０５は、クエリをウェブ検索エンジン６０へ順次送信して、関連する画像を含むウェブページを求めて検索を開始する。ブラウザ１０５は、曲のタイトル、アーティスト、アルバムタイトル又はその他のテキスト情報などの、選択されたオーディオファイルに関する記述情報を利用して、クエリを作成することができる。本発明のいくつかの実施形態では、この記述情報は、クエリの作成のために利用可能な識別情報を取得するためにＰＤＮ３０を介してアクセス可能な音楽認識サーバ７０へ送信することのできるオーディオファイルのサンプルを含んでもよい。
【００３１】
ウェブ検索エンジン６０は、グーグル検索エンジン、ＭＳＮ検索エンジン、ヤフー検索エンジン、アルタビスタ検索エンジン等のパブリックにアクセス可能なウェブ検索エンジンであることが望ましい。ウェブ検索エンジン６０は、検索基準に一致するウェブページリストをユーザ装置１００内のウェブブラウザ１０５へ返信する。ウェブサーバ５０からウェブページリストを受信した後、ブラウザ１０５は、検索エンジン６０により返信されたウェブページリストを減らすべくフィルタリングを適用することができる。例えば、「ブロック」リストに挙げられたウェブページを除外する、あるいは、「許可」リストに挙げられたウェブページを含める、の少なくともいずれかを行うようにフィルタを設計することができる。いくつかの実施形態では、ユーザは「お好み」ウェブサイトのリストを指定してもよい。このケースでは、フィルタは「お好み」ウェブサイトから得られるものを除くすべてのウェブページを除外してもよい。場合によっては、ウェブ検索エンジン６０は指定された領域の検索を許可してもよい。このケースでは、「お好み」リストを利用して、指定されたドメインから得られる結果のみを返信するクエリを作成してもよく、それによって、ユーザ装置１００において別々にフィルタリングする必要性が回避される。なぜなら、フィルタリングはウェブ検索エンジンにより実行されるからである。
【００３２】
ウェブ検索エンジン６０により返信されたウェブページリストをフィルタリングした後、ブラウザ１０５は、何らかの所定の基準に従ってウェブページのランク付けを実行し、次いで、１以上のウェブページを選択する。ウェブページは、例えば、関連性、人気、コンテンツの格付けなどのようなファクタに基づいてランク付けられてもよい。ランク付け用アルゴリズムはランキングを実行する際の複数の基準を考慮してもよい。ウェブページがランク付けられると、ウェブブラウザ１０５はランキングの順序で表される１以上のウェブページを選択し、次いで、対応するウェブサーバ５０から得られるウェブページを従来の方法でダウンロードする。より詳細には、ウェブブラウザ１０５は、ユニフォームリソースロケータ（ＵＲＬ）などのリソース要求をウェブサーバ５０へ送信して、ウェブサーバ５０のリソース要求を実行する。このリソース要求に応じてウェブサーバ５０は要求されたリソースを返信する。
【００３３】
ウェブブラウザ１０５により送信されるリソース要求は１以上の画像を含むウェブページ要求を含みうる。このケースでは、ブラウザ１０５はウェブページをダウンロードし、次いで、ウェブページから１つ以上の画像を抽出する。別の実施形態では、リソース要求は特定の画像に対する要求を含みうる。いくつかの状況では、ウェブブラウザ１０５は複数の要求を実行する必要がある場合もある。例えば、ウェブブラウザ１０５が受信したウェブページは画像につながるリンクを含みうる。このケースでは、ウェブブラウザ１０５は、画像を特定し、次いで、ウェブページのＨＴＭＬの構文解析を実行して、これらの画像をダウンロードする追加リソース要求を送信することができる。ブラウザ１０５が上記画像のダウンロードとその画像の抽出の少なくともいずれかをウェブページから実行した後、制御プロセッサ１０２はこれらの画像をディスプレイ１１０へ出力する。２以上の画像がダウンロードされた場合、スライドショーと同じように所定時間の間順番に個々の画像を表示してもよい。これらの画像はユーザのデスクトップ上のブラウザウィンドウにフルスクリーンで表示されてもよい。２以上の画像が選択された場合、これらの画像はスライドショーとして表示されてもよい。あるいは、制御プロセッサ１０２は画像を背景に表示される壁紙に変換してもよい。
【００３４】
図３は、画像をダウンロードし表示するための例示のユーザ装置を詳細に示す図である。ユーザ装置１００は制御プロセッサ１０２、メモリ１０４、通信回路１０６、及び、ユーザインタフェース１０８を備える。制御プロセッサ１０２は、メモリ１０４に格納されている命令に従ってユーザ装置１００の処理全体を制御する。制御プロセッサ１０２は１以上のマイクロプロセッサ、マイクロコントローラ、ハードウェア回路、又はこれらの任意の組み合わせによって構成されうる。メモリ１０４は、制御プロセッサ１０２により必要とされる命令及びデータを格納するための揮発性メモリ及び不揮発性メモリの双方を含む。メモリ１０４は１つ以上のメモリデバイスを含むことができ、それらは内部メモリデバイスでも外部メモリでもよい。
【００３５】
通信回路１０６は、ユーザ装置１００による無線ネットワーク２０との通信を可能にする。通信回路１０６は、例えば、現在公知の、あるいは、これから開発されるであろう任意の標準規格に従って動作する完全に機能するセルラトランシーバを備える。例示のトランシーバにはＧＳＭ及びＷＣＤＭＡ規格を実現するトランシーバが含まれている。通信回路１０６は、ＩＥＥＥ８０２．１１標準規格ファミリを実現する無線ＬＡＮトランシーバをさらに備えてもよい。
【００３６】
ユーザインタフェース１０８は、ユーザとユーザ装置１００とのインタラクション、及び、ユーザ装置１００の制御を可能にする。ユーザインタフェース１０８はディスプレイ１１０、ユーザ入力装置１１２、マイクロホン１１４、及び１つ以上のスピーカ１１６を備える。例えばディスプレイ１１０は、液晶ディスプレイを備えてもよい。ユーザ入力装置１１２は、キーボード、キーパッド、（例えばマウス、タッチパッドなどの）ポインティングデバイス、ジョイスティック、又はその他のユーザ操作装置のような任意の従来方式による入力装置を備える。いくつかの実施形態では、ディスプレイ１１０はユーザ入力装置１１２としても機能するタッチ画面表示を備えてもよい。プロセッサ１０２は、１以上のユーザ入力装置１１２を介してユーザ入力を受信すると共に、ユーザが視聴するためのディスプレイ１１０へ情報を出力する。
【００３７】
マイクロホン１１４及びスピーカ１１６はユーザ装置１００に対してオーディオ入出力機能を提供する。マイクロホン１１４は可聴音を検出すると共に、可聴音を、制御プロセッサ１０２が処理できるオーディオ信号に変換する。スピーカ１１６は、制御プロセッサ１０２から出力されるオーディオ信号をユーザが聞くことができる可聴音に変換する。例えば、スピーカ１１６を用いて、ユーザ装置１００が格納したり、ストリーミングしたりするオーディオファイルを再生してもよい。
【００３８】
図４は、ユーザのオーディオ再生エクスペリエンスを高めるために、ユーザ装置１００の制御プロセッサ１０２によって実行される方法の一例を示す図である。この音楽エンハンスメント機能は、ユーザプレファレンスに基づいてユーザが手作業で実行するか、制御プロセッサ１０２が自動的に実行するかのいずれかの態様で起動することができる。方法１５０は、再生する曲をユーザが選択した時又はオーディオ再生が開始された時から開始する（ブロック１５２）。ここでは音楽エンハンスメント機能が起動されることが仮定されている。ユーザによる選択又はオーディオ再生の開始に応じて、制御プロセッサ１０２は曲のタイトル、アーティスト、アルバムタイトルなどの関連情報を決定する（ブロック１５４）。このような情報は、再生されているか、ユーザ装置１００内のデータベースに格納されているか、あるいは、供給されたオーディオサンプルに基づいて音楽認識サーバ７０から取り出されるオーディオファイルにおいて符号化されてもよい。次いで、制御プロセッサ１０２は、クエリを構成し、ウェブ検索エンジン６０と接続し、関連する画像を含むウェブページを求めてウェブ検索を開始する（ブロック１５６）。これに応答して、制御プロセッサ１０２は１つ以上の画像を含むウェブサーバ５０からウェブページのリストを受信する（ブロック１５８）。いくつかの実施形態では、制御プロセッサ１０２は、ウェブサーバ５０が返信したウェブページをフィルタリングする（ブロック１６０）。上述したように、フィルタリングは、「ブロック」リスト、「許可」リスト、あるいは、「お好み」リストなどの、所定のフィルタリストに基づいて実行することができる。別の実施形態では、最初のクエリを構成するために「お好み」リストを使用することが可能であり、このリストの使用によって、ウェブページリストのフィルタリングを制御プロセッサ１０２において実行する必要性が回避される。制御プロセッサ１０２は、関連性、人気、コンテンツの格付け又はこれらの組み合わせといった所定の基準に基づいてフィルタリングを実行した後に残った任意のウェブページのランキングを実行する（ブロック１６２）。ページがランク付けられると、制御プロセッサ１０２は、ランク付けられた順序で１つ以上のウェブページを選択し、その選択したウェブページから画像を取り出す（ブロック１６４）。次いで、制御プロセッサ１０２は、選択したウェブページをディスプレイへ出力する（ブロック１６６）。いくつかの実施形態では、オーバーレイされたブラウザウィンドウにこれらの画像を表示してもよい。２以上の画像が選択された場合、画像はスライドショーとして表示することができる。別の実施形態では、プロセッサはこれらの画像を背景で表示される壁紙に変換してもよい。
【００３９】
また、上記したビジュアルコンテンツを取り出し表示するプロセスを、オーディオがマイクロホン１１４でピックアップされるシチュエーションに適合されることもできる。例えばユーザが、音楽が再生されている公共の場所にいるときに、ユーザは、音楽エンハンスメントモードを手動で起動させる。この場合、マイクロホン１１４でピックアップされた音楽をサンプリングし、そのサンプルを音楽認識サーバ７０へ送信することができる。音楽認識サーバ７０が再生中の音楽に関するテキスト情報を返信すると、制御プロセッサ１０２は、前述したようにユーザ装置１００内のウェブブラウザ１０５に画像の検索を開始させることができる。
【００４０】
本発明は、本発明の範囲及び本質的な特徴から逸脱することなく、本明細書で開示した方法以外の別の方法によって実施可能であることは言うまでもない。すなわち、上述の実施形態は、いかなる点においても例示にすぎず、本発明を限定するものではなく、添付の特許請求の範囲に記載した文言あるいはその均等の範囲に属するあらゆる改変は、本発明に含まれる。
【図１】
2011528820.tif 000003
【図２】
2011528820.tif 000004
【図３】
2011528820.tif 000005
【図４】
2011528820.tif 000006
【国際調査報告】
2011528820.tif 000007
2011528820.tif 000008